(57)【要約】【課題】入院病棟におけるナースコール用の信号中継ボックスにおいて、かなり強い引っ張り力が加えられたとしても、接続されているケーブルが容易には抜けないようにする。【解決手段】信号伝送用のケーブル４Ａがケーブル挿通孔１２Ａを介して筐体１１内に引き込まれ、その筐体１１内部に配置されている所定の端子部材に接続される信号中継ボックスにおいて、筐体内１１に、ケーブル挿通孔１２Ａ側に配置されケーブル４Ａをジグザグに配線する少なくとも３本のボス２１〜２３を備える第１配線部２０と、上記端子部材側に配置され上辺部にケーブル４Ａが配線可能な少なくとも３つの切り欠き部３１〜３３を有する切り欠き板からなりケーブル４Ａをさらにジグザグに配線する第２配線部３０とを設ける。【選択図】図２
2011049201.tif 000002
【特許請求の範囲】
【請求項１】
ケーブル挿通孔を有する筐体を備え、信号伝送用のケーブルが上記ケーブル挿通孔を介して上記筐体内に引き込まれ、上記筐体内部に配置されている所定の端子部材に接続される信号中継ボックスにおいて、
上記筐体内には、上記ケーブル挿通孔側に配置され上記ケーブルがジグザグに配線される第１配線部と、上記端子部材側に配置され上記第１配線部を通された上記ケーブルがさらにジグザグに配線される第２配線部とが設けられていることを特徴とする信号中継ボックス。
【請求項２】
上記第１配線部は、上記ケーブル挿通孔の近傍に配置される第１ボスと、上記第２配線部側に配置される第３ボスと、上記第１ボスと上記第３ボスとの間に配置される第２ボスの少なくとも３つのボス群より構成され、上記ケーブルが上記ケーブル挿通孔から上記第１ボス，上記第２ボスおよび上記第３ボスにかけてそれぞれ９０°以上の接触面をもつようにジグザグに掛け渡され、
上記第２配線部は、上辺部に上記ケーブルが配線可能な少なくとも３つの切り欠き部を有する切り欠き板により構成され、
上記第３ボスに係止された上記ケーブルが上記３つの切り欠き部によりさらにジグザクに配線されて上記端子部材に至ることを特徴とする請求項１に記載の信号中継ボックス。
【請求項３】
上記ケーブル挿通孔から上記筐体内に引き込まれる上記ケーブルが上記第１ボスにより９０゜以上の角度で方向転換され、上記第２ボスによりほぼ１８０゜の角度で方向転換され、上記第３ボスにより上記第２配線部側に向けて９０゜以上の角度で方向転換されることを特徴とする請求項２に記載の信号中継ボックス。
【請求項４】
上記第１ボスと上記第２ボスとが、それらの間に上記ケーブルが強制嵌合される間隔をもって配置されていることを特徴とする請求項２または３に記載の信号中継ボックス。
【請求項５】
上記ボス群に含まれる所定のボスの外周面には、上記ケーブルの外皮にくい込み可能な係止凸部が形成されていることを特徴とする請求項２ないし４のいずれか１項に記載の信号中継ボックス。
【発明の詳細な説明】
【技術分野】
【０００１】
本発明は、入院病棟に設置されるナースコール用の信号中継ボックスに関し、さらに詳しく言えば、信号中継ボックス内でのケーブル固定技術に関するものである。
【背景技術】
【０００２】
入院病棟のうち、特に痴呆症患者等の入院病棟のベッドには、看護士等を呼ぶためのナースコールボタンのほかに、患者がベッドから離床したことを検知する圧力感知マット等からなる離床センサが設けられている。
【０００３】
ナースコールボタンによる呼び信号と離床センサによる離床検知信号は、ナースセンター（看護士詰め所）に送られるが、その信号伝送系を簡素化（１本化）するため、例えば特許文献１に記載されているような信号中継ボックスが用いられている。その一例を図４により説明する。
【０００４】
図４に示す信号中継ボックス１は、各ベッドごとに割り当てられるもので、例えば離床センサからナースセンター（ともに図示しない）に至る信号伝送用のケーブル４の途中に設けられ、この信号中継ボックス１に図示しないナースコールボタンが接続される。
【０００５】
そのため、信号中継ボックス１の筐体２には、２つのケーブル挿通孔３Ａ，３Ｂと、ナースコールボタンを接続する接続端子部材としてのレセプタクル９とが設けられている。
【０００６】
ケーブル４は、２本の芯線５，６を有する外皮付きの２芯ケーブルで、信号中継ボックス１を取り付ける部分で、離床センサ側からのケーブル４Ａと、ナースセンター側に至るケーブル４Ｂとに切断される。
【０００７】
ケーブル４Ａ，４Ｂは、ケーブル挿通孔３Ａ，３Ｂよりそれぞれブッシュ７，７を介して筐体２内に引き込まれ、芯線５，６の各導体５ａ，５ｂがレセプタクル９の対応するコンタクトピン９ａ，９ｂに接続される。
【０００８】
これにより、離床センサによる離床検知信号と、ナースコールボタンによる呼び信号とがケーブル４Ｂを共通としてナースコールセンターに伝送される。なお、この例とは異なり、ケーブル４をナースコールボタンからナースセンターに至る配線とし、信号中継ボックス１のレセプタクル９に離床センサを接続する場合もある。
【０００９】
いずれにしても、信号中継ボックス１からのケーブル４Ａ，４Ｂの引き抜きを防止するため、従来では、筐体２内でケーブル４Ａ，４Ｂに束線バンド８，８を取り付けるようにしている。
【先行技術文献】
【特許文献】
【００１０】
【特許文献１】特許第３６２７０４４号公報
【発明の概要】
【発明が解決しようとする課題】
【００１１】
しかしながら、信号中継ボックス１は、ベッドのヘッドボード等のベッドの近傍に置かれるため、例えば痴呆症患者の無意識的な暴れ動作等により、ケーブル４Ａ，４Ｂに急激な引っ張り力が加えられることがあり、それが繰り返されると束線バンド８，８の固定手段では耐えきれず、ケーブル４Ａ，４Ｂが信号中継ボックス１から抜けてしまう、という問題がある。
【００１２】
したがって、本発明の課題は、入院病棟に設置されるナースコール用の信号中継ボックスにおいて、かなり強い引っ張り力が加えられたとしても、接続されているケーブルが容易には抜けないようにしたケーブル固定手段を有する信号中継ボックスを提供することにある。
【課題を解決するための手段】
【００１３】
上記課題を解決するため、本発明は、ケーブル挿通孔を有する筐体を備え、信号伝送用のケーブルが上記ケーブル挿通孔を介して上記筐体内に引き込まれ、上記筐体内部に配置されている所定の端子部材に接続される信号中継ボックスにおいて、上記筐体内には、上記ケーブル挿通孔側に配置され上記ケーブルがジグザグに配線される第１配線部と、上記端子部材側に配置され上記第１配線部を通された上記ケーブルがさらにジグザグに配線される第２配線部とが設けられていることを特徴としている。
【００１４】
本発明の好ましい態様によれば、上記第１配線部は、上記ケーブル挿通孔の近傍に配置される第１ボスと、上記第２配線部側に配置される第３ボスと、上記第１ボスと上記第３ボスとの間に配置される第２ボスの少なくとも３つのボス群より構成され、上記ケーブルが上記ケーブル挿通孔から上記第１ボス，上記第２ボスおよび上記第３ボスにかけてそれぞれ９０°以上の接触面をもつようにジグザグに掛け渡され、上記第２配線部は、上辺部に上記ケーブルが配線可能な少なくとも３つの切り欠き部を有する切り欠き板により構成され、上記第３ボスに係止された上記ケーブルが上記３つの切り欠き部によりさらにジグザクに配線されて上記端子部材に至る。
【００１５】
より好ましい態様によれば、上記ケーブル挿通孔から上記筐体内に引き込まれる上記ケーブルが上記第１ボスにより９０゜以上の角度で方向転換され、上記第２ボスによりほぼ１８０゜の角度で方向転換され、上記第３ボスにより上記第２配線部側に向けて９０゜以上の角度で方向転換される。
【００１６】
さらに好ましくは、上記第１ボスと上記第２ボスとが、それらの間に上記ケーブルが強制嵌合される間隔をもって配置されているとよい。
【００１７】
また、上記ボス群に含まれる所定のボスの外周面には、上記ケーブルの外皮にくい込み可能な係止凸部が形成されていることがより好ましい。
【発明の効果】
【００１８】
本発明によれば、筐体内に引き込まれたケーブルが、ケーブル挿通孔側の第１配線部と端子部材側の第２配線部とにより２度にわたってジグザグ状に配線されるため、ケーブルの固定力が高まり、かなり乱雑に扱われても、ケーブルが抜けたり断線することがない。
【００１９】
また、第１配線部が筐体に形成されたボス群よりなり、また、第２配線部も筐体に形成された切り欠き板よりなるため、束線バンド等の別部品としての固定部品が不要であり、コストが削減されるとともに、組立作業性も改善される。
【図面の簡単な説明】
【００２０】
【図１】本発明による信号中継ボックスの内部構造を示す斜視図。
【図２】上記信号中継ボックスの要部を示す拡大平面図。
【図３】第１配線部に含まれるボスを示す斜視図。
【図４】従来技術による信号中継ボックスの内部構造を示す模式図。
【発明を実施するための形態】
【００２１】
次に、図１ないし図３を参照して、本発明の実施形態について説明するが、本発明はこれに限定されるものではない。なお、この実施形態の説明において、先の図３で説明した従来例におけるケーブルとレセプタクルについては特に変更を要しないため、同じ参照符号４，９を用いている。
【００２２】
まず、図１参照して、この実施形態に係る信号中継ボックス１０は、長方形状をなす筐体１１を備えている。この筐体１１は上面が開放されたボトム側の筐体で、実際には、筐体１１には図示しないトップカバーが被せられる。
【００２３】
信号中継ボックス１０は、例えば離床センサからナースコールセンター（ともに図示しない）に至る信号伝送用のケーブル４の途中に設けられる。
【００２４】
ケーブル４は、２本の芯線５，６を有する外皮付きの２芯ケーブルで、信号中継ボックス１０を取り付ける部分で、離床センサ側からのケーブル４Ａと、ナースセンター側に至るケーブル４Ｂとに切断される。なお、ケーブル４Ａがナースセンター側に至る配線で、ケーブル４Ｂが離床センサ側からの配線であってもよい。
【００２５】
筐体１１の短辺側の一端中央には、一方のケーブル４Ａを引き込むためのケーブル挿通孔１２Ａが設けられており、筐体１１の短辺側の他端中央には、他方のケーブル４Ｂを引き込むためのケーブル挿通孔１２Ｂが設けられている。
【００２６】
筐体１１の長辺側の一方の側壁には、図示しないナースコールボタンが接続される端子部材としてのレセプタクル９が取り付けられている。また、この実施形態によると、筐体１１の一端側には、把持用の取っ手１３が設けられている。
【００２７】
ケーブル４Ａ，４Ｂは、それぞれケーブル挿通孔１２Ａ，１２Ｂより筐体１１内に引き込まれ、それらの各芯線５，６がレセプタクル９の対応するコンタクトピン９ａ，９ｂに接続されるが、筐体１１内の一端側と他端側には、ケーブル４Ａ，４Ｂをジグザグ状に配線して固定する第１配線部２０と第２配線部３０とが設けられている。
【００２８】
筐体１１内の一端側でケーブル４Ａを固定する第１配線部２０，第２配線部３０と、筐体１１内の他端側でケーブル４Ｂを固定する第１配線部２０，第２配線部３０は、同一構成であるため、図２により、ケーブル４Ａを固定する第１配線部２０と第２配線部３０とについて説明する。
【００２９】
第１配線部２０は筐体１１内のケーブル挿通孔１２Ａ側に配置され、第２配線部３０は筐体１１内のレセプタクル９側寄りの位置に配置される。
【００３０】
この実施形態において、第１配線部２０には、第１ボス２１，第１ボス２２および第３ボス２３の３本のボスが含まれている。筐体１１は合成樹脂製で、ボス２１〜２３は筐体１１に一体に形成されている。
【００３１】
第１ボス２１はケーブル挿通孔１２Ａの脇に配置され、第３ボス２３はケーブル挿通孔１２Ａからもっとも離れて第２配線部３０側に配置され、第２ボス２２は第１ボス２１と第３ボス２３との間に配置されている。
【００３２】
ケーブル挿通孔１２Ａ，１２Ｂを通る線を筐体１１の長手方向の中心線として、図２において、第１ボス２１，２２とが上記中心線の上側に配置されるとすれば、第３ボス２３は上記中心線の下側に配置される。
【００３３】
これにより、ケーブル４Ａがケーブル挿通孔１２Ａから第１ボス２１，第２ボス２２および第３ボス２３にかけてそれぞれ９０°以上の接触面をもつようにジグザグに掛け渡される。
【００３４】
具体的には、図２に示すように、ケーブル挿通孔１２Ａから筐体１１内に引き込まれるケーブル４Ａが第１ボス２１により９０゜以上の角度で方向転換され、第２ボス２２によりほぼ１８０゜の角度で方向転換され、第３ボス２３により第２配線部３０側に向けて９０゜以上の角度で方向転換される。
【００３５】
ケーブル４Ａをより強固に固定するうえで、第１ボス２１と第２ボス２２とが、それらの間にケーブル４Ａが強制嵌合される間隔をもって配置されることが好ましい。ケーブル４Ａの外径が例えば４ｍｍであるとすれば、第１ボス２１と第２ボス２２との間の間隔を３ｍｍ程度とする。
【００３６】
また、図３に示すように、各ボス２１〜２３のケーブル４Ａとの接触面に、ケーブル４Ａの外皮にくい込み可能な係止凸部２４を形成することが好ましい。係止凸部２４には、例えばボスの軸線方向に沿って形成された三角形状の縦リブ２４ａが好ましく採用される。
【００３７】
この実施形態では、各ボス２１〜２３のケーブル４Ａとの接触面に、３本の縦リブ２４ａを形成しているが、その本数は任意に選択されてよい。また、係止凸部２４をローレット加工により形成してもよい。
【００３８】
次に、第２配線部３０について説明する。第２配線部３０は、上辺部にケーブル４Ａが配線可能な少なくとも３つの切り欠き部３１，３２，３３を有する切り欠き板からなり、筐体１１の長辺側の一方側壁から他方の側壁に向かって筐体１１内を横切るように筐体１１に一体に形成されている。
【００３９】
この実施形態によれば、ケーブル挿通孔１２Ａから筐体１１内に引き込まれたケーブル４Ａは、第１配線部２０の第１ボス２１→第２ボス２２→第３ボス２３に掛け渡されることによりジグザク状に配線され、その後、第２配線部３０の切り欠き部３１，３２，３３にてさらにジグザク状に配線されることになるため、ケーブル４Ａの固定力が高まり、かなり乱雑に扱われても、ケーブル４Ａが抜けたり断線することがない。
【００４０】
なお、この実施形態では、第１配線部２０とは別に３本のボス４１，４２，４３が設けられているので、これについて説明する。
【００４１】
ボス４１は、第１ボス２１とともにケーブル４Ａの筐体１１内への引き込みを案内するガイドボスである。ボス４２は、図示しないトップカバーを筐体１１にネジ止めするためのネジ受けボスである。
【００４２】
なお、上記第１ボス２１ないし第３ボス２３のいずれかをネジ受けボス兼用とすることもできる。ボス４３は、第２配線部３０からレセプタクル９に至る芯線５，６の暴れを防止する芯線押さえ用のボスである。
【００４３】
上記実施形態では、信号中継ボックス１０が取り付けられるケーブル４を離床センサからナースセンターに至るケーブルとしているが、ケーブル４はナースコールボタンからナースセンターに至るケーブルであってもよく、その場合には、レセプタクル９に離床センサが接続されることになる。
【符号の説明】
【００４４】
１０  信号中継ボックス
２０  筐体
２１  ケーブル挿通孔
３０  ケーブル
４０  レセプタクル端子
５０  第１配線部
５１  第１ボス
５２  第２ボス  
５３  第３ボス
６０  第２配線部
６１  切り欠き板
６１ａ  切り欠き部
【図１】
2011049201.tif 000003
【図２】
2011049201.tif 000004
【図３】
2011049201.tif 000005
【図４】
2011049201.tif 000006